(57)【要約】【課題】  液晶の大きさが大きい機器の代わりをすることができる携帯電子機器およびそのプログラムを提供する。【解決手段】  本発明の構成は、複数の携帯電子機器１００、１００Ａ、１００Ｂ、１００Ｃの表示部に一体的にアプリケーションの動作画面を表示させる携帯電子機器１００であって、他の携帯電子機器が隣接したことを検出する隣接検出部１２６と、隣接した携帯電子機器と通信可能な近圏通信部１３６と、当該携帯電子機器１００がマスターの場合には当該携帯電子機器１００のアプリケーションの動作画面をスレーブとなる他の携帯電子機器１００Ａ、１００Ｂ、１００Ｃに転送し、当該携帯電子機器１００がスレーブの場合にはマスターとなる携帯電子機器からアプリケーションの動作画面を取得する制御部１０２とをさらに備え、制御部１０２は当該携帯電子機器１００の表示部にアプリケーションの動作画面の一部を表示させることを特徴とする。【選択図】図２
2014090282.tif 000002
【特許請求の範囲】
【請求項１】
複数の携帯電子機器の表示部に一体的にアプリケーションの動作画面を表示させる携帯電子機器であって、
他の携帯電子機器が隣接したことを検出する隣接検出部と、
隣接した携帯電子機器と通信可能な近圏通信部と、
当該携帯電子機器がマスターの場合には前記近圏通信部を通じて当該携帯電子機器のアプリケーションの動作画面をスレーブとなる他の携帯電子機器に転送し、当該携帯電子機器がスレーブの場合には前記近圏通信部を通じてマスターとなる携帯電子機器からアプリケーションの動作画面を取得する制御部とをさらに備え、
前記制御部は、当該携帯電子機器の表示部に前記アプリケーションの動作画面の一部を表示させることを特徴とする携帯電子機器。
【請求項２】
前記近圏通信部は、隣接した携帯電子機器と赤外線によって通信することを特徴とする請求項１に記載の携帯電子機器。
【請求項３】
前記制御部は、初期状態において当該携帯電子機器がマスターとなるか否かを前記他の携帯電子機器との相対的な位置関係に応じて判定することを特徴とする請求項２に記載の携帯電子機器。
【請求項４】
前記マスターおよびスレーブの設定は、当該携帯電子機器または前記他の携帯電子機器の表示部に表示されるアイコンによって変更可能であることを特徴とする請求項１から３のいずれか１項に記載の携帯電子機器。
【請求項５】
基地局と無線通信する無線通信部をさらに備え、
前記制御部は当該携帯電子機器への着呼を検知すると、当該携帯電子機器の表示部に前記動作画面の一部を表示させることを中止することを特徴とする請求項１から４のいずれか１項に記載の携帯電子機器。
【請求項６】
複数の機器の表示部に一体的にアプリケーションの動作画面を表示させるために、コンピュータに、
他の機器が隣接したことを検出する隣接検出機能、
隣接した機器と通信可能な近圏通信機能、
当該機器がマスターの場合には前記近圏通信機能を通じて当該機器のアプリケーションの動作画面をスレーブとなる他の機器に転送し、当該機器がスレーブの場合には前記近圏通信機能を通じてマスターとなる機器からアプリケーションの動作画面を取得する制御機能、
当該機器の表示部に前記アプリケーションの動作画面の一部を表示させる表示機能を実現させるためのプログラム。
【発明の詳細な説明】
【技術分野】
【０００１】
本発明は、スマートフォン等の携帯電子機器およびプログラムに関する。
【背景技術】
【０００２】
従来から、書類作成やプレゼンテーション等にノートパソコンが利用されており、業務（仕事）の必需品となりつつある。一方、情報化技術の発展に伴い、昨今では、スマートフォン、ネットブック等も普及している。そのため、出張等の際には、ノートパソコン、スマートフォン、ネットブック等のガジェットを複数持ち運ぶことも珍しく無くなってきている。
【０００３】
これらのガジェットの最も大きな違いは、液晶（表示部）の大きさである。一般に、ノートパソコンの液晶は１３インチ以上のものが主流であるのに対し、ネットブックの液晶の大きさは７〜１０インチ程度、スマートフォンの液晶の大きさは４インチ程度である。したがって、液晶の大きさの違いを補うことができれば、液晶の大きさが小さい機器で液晶の大きさが大きい機器を代用することができ、複数のガジェットを持ち運ばなくても済むようになると考えられる。
【０００４】
特許文献１には、第１のモジュールと第２のモジュールとを連結して、第１のモジュールの表示部に表示されたキャラクターを第２のモジュールの表示部に移動させる技術が開示されている。
【先行技術文献】
【特許文献】
【０００５】
【特許文献１】米国特許第７，３７１，１７７号明細書
【発明の概要】
【発明が解決しようとする課題】
【０００６】
上記特許文献１の技術によれば、複数のモジュールを連結することで、キャラクターが移動可能な表示部の総領域が拡大する。しかしながら、特許文献１の技術では１つのアプリケーションの動作画面が拡大するわけではない。したがって、液晶の大きさが大きい機器の代わりにはならない。
【０００７】
また特許文献１の技術では、第１のモジュールと第２のモジュールとを機械的に連結しているが、このような構成は同種のモジュール同士でないと難しい。同種のモジュール同士でしか利用できない構成とすると適用の幅が極めて制限されることとなるため（結局、同種のモジュールを複数入手しなければならないため）、他機種も利用することができる技術が望まれる。
【０００８】
本発明は上記課題に鑑みてなされたものであり、液晶の大きさが大きい機器の代わりをすることができる携帯電子機器およびそのプログラムを提供することを目的とする。
【課題を解決するための手段】
【０００９】
上記課題を解決するために本発明の代表的な構成は、複数の携帯電子機器の表示部に一体的にアプリケーションの動作画面を表示させる携帯電子機器であって、他の携帯電子機器が隣接したことを検出する隣接検出部と、隣接した携帯電子機器と通信可能な近圏通信部と、当該携帯電子機器がマスターの場合には近圏通信部を通じて当該携帯電子機器のアプリケーションの動作画面をスレーブとなる他の携帯電子機器に転送し、当該携帯電子機器がスレーブの場合には近圏通信部を通じてマスターとなる携帯電子機器からアプリケーションの動作画面を取得する制御部とをさらに備え、制御部は、当該携帯電子機器の表示部に上記アプリケーションの動作画面の一部を表示させることを特徴とする。
【００１０】
上記近圏通信部は、隣接した携帯電子機器と赤外線によって通信するとよい。
【００１１】
上記制御部は、初期状態において当該携帯電子機器がマスターとなるか否かを他の携帯電子機器との相対的な位置関係に応じて判定するとよい。
【００１２】
上記マスターおよびスレーブの設定は、当該携帯電子機器または他の携帯電子機器の表示部に表示されるアイコンによって変更可能であるとよい。
【００１３】
当該携帯電子機器は、基地局と無線通信する無線通信部をさらに備え、制御部は当該携帯電子機器への着呼を検知すると、当該携帯電子機器の表示部に上記動作画面の一部を表示させることを中止するとよい。
【００１４】
上記課題を解決するために本発明の代表的な他の構成は、複数の機器の表示部に一体的にアプリケーションの動作画面を表示させるためのプログラムであって、コンピュータに、他の機器が隣接したことを検出する隣接検出機能、隣接した機器と通信可能な近圏通信機能、当該機器がマスターの場合には近圏通信機能を通じて当該機器のアプリケーションの動作画面をスレーブとなる他の機器に転送し、当該機器がスレーブの場合には近圏通信機能を通じてマスターとなる機器からアプリケーションの動作画面を取得する制御機能、当該機器の表示部にアプリケーションの動作画面の一部を表示させる表示機能を実現させることを特徴とする。
【発明の効果】
【００１５】
本発明によれば、液晶の大きさが大きい機器の代わりをすることができる携帯電子機器およびそのプログラムを提供することができる。
【図面の簡単な説明】
【００１６】
【図１】本実施形態にかかる携帯電子機器の概略構成を示すブロック図である。
【図２】図１の携帯電子機器のネゴシエーションについて説明する図である。
【図３】図１の携帯電子機器のネゴシエーションの手順を示すフローチャートである。
【図４】図２の携帯電子機器によるアプリケーションの動作画面の一体的な表示を例示する図である。
【図５】図２の携帯電子機器及び他の携帯電子機器の配置例を示す図である。
【図６】図１の携帯電子機器の他の例を示す図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１８】
[装置構成]
図１は、本実施形態にかかる携帯電子機器１００の概略構成を示すブロック図である。携帯電子機器１００は、中央処理装置（ＣＰＵ：Central Processing Unit）を含んで構成される制御部１０２と、ＲＯＭやＲＡＭ、フラッシュメモリ等を含んで構成される記憶部１０４とを備える。制御部１０２は、記憶部１０４に記憶されたプログラムを実行し、当該携帯電子機器１００を制御、管理する。記憶部１０４は、プログラムや各種データ等を記憶する。
【００１９】
携帯電子機器１００は、表示部および操作部としてのタッチパネルディスプレイ１０６を備える。なおタッチパネルディスプレイ１０６に換えて、表示部としてディスプレイとそのコントローラとを備えたり、操作部としてキーやポインティングデバイスを備えたりしてもよい。
【００２０】
携帯電子機器１００は、ＬＴＥやＣＤＭＡ、ＷｉＭＡＸ[登録商標（Worldwide Interoperability for Microwave Access）]等の所定の無線通信方式により基地局１０８と無線通信する無線通信部１１０を備える。無線通信部１１０により、通信相手との音声通信（通話）やＷｅｂサーバとのデータ通信が実行される。また携帯電子機器１００は、放送局１１２からの地上デジタルテレビジョン放送を受信し、テレビ番組を視聴可能にする放送受信部１１４を備える。
【００２１】
携帯電子機器１００は、マイク等の音声認識手段で構成される音声入力部１１６とスピーカ等の音声出力手段で構成される音声出力部１１８とを備える。音声入力部１１６は、通話時に入力されたユーザの音声を携帯電子機器１００内で処理可能な電気信号に変換する。音声出力部１１８は、受信した通話相手の音声信号を音声に変えて出力したり、アプリケーション使用時に出力すべき音、テレビの音、着信音等を出力したりする。
【００２２】
携帯電子機器１００は、被写体を撮像可能なカメラモジュール１２０を備える。カメラモジュール１２０は、レンズや撮像素子等で構成される。
【００２３】
携帯電子機器１００は、加速度を検知することで当該機器の姿勢を検知する加速度センサ１２２を備える。かかる加速度センサ１２２が検知する当該機器の姿勢に応じて、制御部１０２はタッチパネルディスプレイ１０６の表示を縦表示または横表示に切り替える。
【００２４】
携帯電子機器１００は、当該機器の位置を測定する位置測定部１２４を備える。位置測定部１２４は、例えばＧＰＳ衛星からの信号を受けて当該機器の位置を測定する。位置測定部１２４は、これに限らず基地局１０８の位置情報を取得し三点測量により当該機器の位置を測定したり、電子タグ、超音波等により当該機器の位置を測定したりしてよい。
【００２５】
携帯電子機器１００は、他の携帯電子機器が隣接したことを検出する隣接検出部１２６を備える。本実施形態では、隣接検出部１２６は、磁気センサ１２８、１３０、１３２、１３４により構成されるが、近接センサ等の他の構成を採用することも可能である。
【００２６】
携帯電子機器１００は、隣接した携帯電子機器と通信可能な近圏通信部１３６を備える。本実施形態では、近圏通信部１３６は、赤外線通信部１３８、１４０、１４２、１４４により構成されるが、Ｂｌｕｅｔｏｏｔｈ（登録商標）、超音波近距離通信、可視光通信等の他の構成を採用することも可能である。なお、赤外線通信による近圏通信部１３６があれば、隣接検出部１２６は不要という考え方もある。しかしながら赤外線モジュールは消費電力が大きく、常時オンにしておくことは好ましくない。このため、まず磁気センサ１２８、１３０、１３２、１３４による隣接検出部１２６によって隣接を検知した後に、赤外線通信部１３８、１４０、１４２、１４４を備えた近圏通信部１３６をオンにすることが好ましい。
【００２７】
携帯電子機器１００は、当該機器に電力を供給するバッテリ１４６を備える。
【００２８】
[装置機能]
図２は、携帯電子機器１００のネゴシエーションについて説明する図である。図２に示すように、携帯電子機器１００はその筐体が矩形状かつ平板状をなし、その正面に上述したタッチパネルディスプレイ１０６を備える。携帯電子機器１００は、当該携帯電子機器１００のタッチパネルディスプレイ１０６と他の携帯電子機器１００Ａ、１００Ｂ、１００Ｃのタッチパネルディスプレイとに一体的にアプリケーションの動作画面を表示させる機能を有する。
【００２９】
本実施形態において携帯電子機器１００は、上述の機能を活かすために、タッチパネルディスプレイ１０６が筐体の正面ほぼ全域を占有するように形成される。なお、他の携帯電子機器１００Ａ、１００Ｂ、１００Ｃは、当該携帯電子機器１００と実質的に同一の構成を有するものとし、本実施形態ではその説明を省略する。
【００３０】
携帯電子機器１００は、筐体の右側に磁気センサ１２８及び磁石１４８を、筐体の左側に磁気センサ１３０及び磁石１５０を、筐体の上側に磁気センサ１３２及び磁石１５２を、筐体の下側に磁気センサ１３４及び磁石１５４を備える。磁気センサ１２８、１３０、１３２、１３４と磁石１４８、１５０、１５２、１５４との位置関係は、同一の構成を有する他の携帯電子機器１００Ａ、１００Ｂ、１００Ｃが隣接すると、磁気センサ１２８、１３０、１３２、１３４がそれを検出するように設定される。
【００３１】
携帯電子機器１００は、筐体の右側に赤外線通信部１３８を、その赤外線通信部１３８の反対側に赤外線通信部１４０を、筐体の上側に赤外線通信部１４２を、その赤外線通信部１４２の反対側に赤外線通信部１４４を備える。すなわち赤外線通信部１３８、１４０、１４２、１４４は、同一の構成を有する他の携帯電子機器１００Ａ、１００Ｂ、１００Ｃが隣接するとその携帯電子機器１００Ａ、１００Ｂ、１００Ｃの赤外線通信部と隣り合わせになるように配置される。
【００３２】
図３は、携帯電子機器１００のネゴシエーションの手順を示すフローチャートである。以下、図３のフローチャートに則り、ネゴシエーション及びアプリケーションの動作画面の一体的表示の実行手順について説明する。
【００３３】
携帯電子機器１００の隣接検出部１２６は、他の携帯電子機器１００Ａ、１００Ｃが隣接するとこれを検出する（ステップＳ３００Ｙｅｓ）。ここでは携帯電子機器１００の筐体の右側の磁気センサ１２８及び筐体の下側の磁気センサ１３４が他の携帯電子機器１００Ａ、１００Ｃの磁石の磁界によって隣接を検出する。
【００３４】
隣接検出部１２６が他の携帯電子機器１００Ａ、１００Ｃの隣接を検出すると、制御部１０２は当該機器が赤外線による通信の巡回開始位置にいるか否かを判定する（ステップＳ３０２）。かかる巡回開始位置は、任意に設定することができる。本実施形態では、巡回開始位置を左上端に設定する場合について説明する。なお、巡回開始位置は、右上端、上端、左端などとしてもよい。
【００３５】
制御部１０２は、右側の磁気センサ１２８及び下側の磁気センサ１３４の反応により、当該機器が左上端にいることを検出すると（ステップＳ３０２Ｙｅｓ）、予め設定された規則に則り他の携帯電子機器へ自身の情報を送信する（ステップＳ３０４）。かかる自身の情報には、いずれの側の赤外線通信部１３８、１４０、１４２、１４４を通じて送信が行われているかを含める。
【００３６】
本実施形態では予め設定される規則は、次のようなものとする。すなわち、赤外線通信は巡回開始位置からまず右側へと行われる。右端に到達すると、そこから１つだけ下に赤外線通信が行われ、その後左側へと赤外線通信が行われる。そして左端に到達すると、そこからまた１つだけ下に赤外線通信が行われ、その後右側へと赤外線通信が行われる。かかる過程を巡回終了位置まで行う。なお巡回終了位置とは、隣接する全ての機器のスキャンが完了し、赤外線通信の新たな通信先が無くなる位置である。
【００３７】
したがって、ステップＳ３０４では、当該携帯電子機器１００は自身の情報を右側の赤外線通信部１３８を通じて他の携帯電子機器１００Ａへ送信する。
【００３８】
一方、当該携帯電子機器１００Ａから情報を受信した他の携帯電子機器１００Ａは、自身が巡回終了位置にいるか否かを判定する。自身が巡回終了位置にいないと判定すると、受信した情報にさらに自身の情報（赤外線通信の方向を含む）を追加して、他の携帯電子機器１００Ｂへ送信する。他の携帯電子機器１００Ｂも同様の処理により、受信した情報にさらに自身の情報（赤外線通信の方向を含む）を追加して、他の携帯電子機器１００Ｃへ送信する。当該携帯電子機器１００から他の携帯電子機器１００Ａ、１００Ｂ、１００Ｃへの赤外線通信の方向を図２中矢印Ｒ１で図示する。
【００３９】
他の携帯電子機器１００Ｃは、当該携帯電子機器１００及び他の携帯電子機器１００Ａ、１００Ｂの情報が累積的に追加された情報を受信し、自身が巡回終了位置にいると判定すると、かかる情報から自身を含む複数の携帯電子機器１００、１００Ａ、１００Ｂ、１００Ｃの配置を特定する。これにより、他の携帯電子機器１００Ｃは、図２に示す配置を特定する。
【００４０】
他の携帯電子機器１００Ｃは、その後、それぞれの携帯電子機器１００、１００Ａ、１００Ｂに特定した配置を送信する。本実施形態では、図２中矢印Ｒ２で図示するように、矢印Ｒ１で示した方向とは逆方向に赤外線通信によってその配置位置の情報を送信する。これにより、それぞれの携帯電子機器１００、１００Ａ、１００Ｂ、１００Ｃは、一体的にアプリケーションの動作画面を表示する際すなわち１つの仮想表示器として機能する際、自身がどの部分を表示（担当）すべきか認識することができる（ステップＳ３０６）。かかる配置位置の情報は、Ｂｌｕｅｔｏｏｔｈ（登録商標）や超音波近距離通信等を利用して送信してもよい。
【００４１】
なお上記では当該携帯電子機器１００が巡回開始位置にいる場合について説明したが、当該携帯電子機器１００が巡回開始位置にいない場合には、上記説明した他の携帯電子機器１００Ａ、１００Ｂ、１００Ｃと実質的に同一の処理を行う。すなわち、他の携帯電子機器から情報を受信し（ステップＳ３１０）、巡回終了位置にいない場合には（ステップＳ３１２Ｎｏ）、受信した情報にさらに自身の情報（赤外線の通信方向を含む）を追加して他の携帯電子機器へ送信する（ステップＳ３１４）。そして、他の携帯電子機器から自身の配置位置を受信する（ステップＳ３１６）。ステップＳ３１２で巡回終了位置にいると判定した場合には（ステップＳ３１２Ｙｅｓ）、複数の携帯電子機器の配置を特定し（ステップＳ３１８）、特定した配置を他の携帯電子機器へ送信する（ステップＳ３２０）。
【００４２】
図４は、携帯電子機器１００によるアプリケーションの動作画面の一体的な表示を例示する図である。図４に例示するように、本実施形態によれば、上述したネゴシエーションの結果、それぞれの携帯電子機器１００、１００Ａ、１００Ｂ、１００Ｃにアプリケーションの動作画面の一部を表示させ（ステップＳ３０８）、一体的な表示を行わせることができる。すなわち、複数の携帯電子機器１００、１００Ａ、１００Ｂ、１００Ｃを１つの仮想表示器として機能させることができる。したがって、液晶の大きさが小さい機器で液晶の大きさが大きい機器の代用をすることができる。
【００４３】
ここでは、アプリケーションの動作画面として、「Ａ」という文字が表示された画面が一体的に表示されている。かかる画面はマスターとなる携帯電子機器の画面である。
【００４４】
当該携帯電子機器１００はマスターの場合、制御部１０２が近圏通信部１３６を通じて自身のアプリケーションの動作画面をスレーブとなる携帯電子機器１００Ａ、１００Ｂ、１００Ｃに転送する。一方、当該携帯電子機器１００はスレーブの場合、制御部１０２が近圏通信部１３６を通じてマスターとなる携帯電子機器（携帯電子機器１００Ａ、１００Ｂ、１００Ｃのいずれか）からアプリケーションの動作画面を取得する。そして、制御部１０２が、タッチパネルディスプレイ１０６にアプリケーションの動作画面の一部を表示させる。なお、本実施形態では、近圏通信部１３６を赤外線通信部１３８、１４０、１４２、１４４としているが、Ｂｌｕｅｔｏｏｔｈ（登録商標）や超音波近距離通信等を利用してアプリケーションの動作画面を送受信するようにしてもよい。
【００４５】
本実施形態において制御部１０２は、初期状態において、マスターとなるか否かを他の携帯電子機器１００Ａ、１００Ｂ、１００Ｃとの相対的な位置関係に応じて決定する。詳述すると、本実施形態では、当該機器が巡回終了位置にいる場合に、初期状態においてマスターとなる機器とする。したがって、この場合、他の携帯電子機器１００Ｃがマスターとなる。巡回終了位置にいる機器を初期状態においてマスターとすることで、特定した配置の情報の送信（ステップＳ３２０）と併せて、そのアプリケーションの動作画面を送信することができ、処理の簡略化を図ることができる。
【００４６】
またマスターおよびスレーブの設定は、当該携帯電子機器１００または他の携帯電子機器１００Ａ、１００Ｂ、１００Ｃのタッチパネルディスプレイに表示されるアイコン１５６によって変更可能とするとよい。ここでは、アイコン１５６は当該携帯電子機器１００のタッチパネルディスプレイ１０６に表示されているが、いずれのタッチパネルディスプレイに表示されてもよい。これにより、一体的な表示を構成するいずれの携帯電子機器１００、１００Ａ、１００Ｂ、１００Ｃのアプリケーションの動作画面も拡大表示することが可能になる。
【００４７】
上述した一体的な画面表示は、とりわけ当該画面を複数の人間に視認させるプレゼンテーション等に有効である。プレゼンテーション等では、静止画像を順次切替表示していくため、常に近圏通信部１３６による通信を維持しておく必要がない。したがって、バッテリ１４６の消耗を抑えることができる。なお、実用的観点からは、カメラモジュール１２０で撮像した画像を複数の機器に一体的に表示させて利用したり、放送受信部１１４が受信したテレビ画像を一体的に表示させて視聴したりすることを可能にするとよい。
【００４８】
アプリケーション動作画面の一体的表示中に、制御部１０２が当該携帯電子機器１００への着呼を検知した場合には、制御部１０２は、当該携帯電子機器１００のタッチパネルディスプレイ１０６にその動作画面の一部を表示させることを中止するとよい。これにより、ユーザに着呼を確実に通知することができる。なお、一体的表示を維持することを重視する設定とする場合には、制御部１０２は、着呼を検知した場合に一体的表示を中止せず、タッチパネルディスプレイ１０６の輝度や明るさを変更して着呼を通知するようにしたり、自身のタッチパネルディスプレイ１０６の端に着呼を検知した旨を表示したりするようにしてもよい。
【００４９】
なお一体的にアプリケーションの動作画面を表示する場合についても、マスターの機器の加速度センサが検出する姿勢に基いて縦表示、横表示を切替可能にするとよい。加速度センサ１２２が検出する機器の姿勢が、配置の特定（ステップＳ３１８）に役立つ場合には、ステップＳ３０４、３１４で加速度センサ１２２の情報も追加して送信するようにするとよい。
【００５０】
図５は、携帯電子機器及び他の携帯電子機器の配置例を示す図である。図５（ａ）に例示するように、携帯電子機器１００及び他の携帯電子機器１００Ａ、１００Ｂを縦に連結してもよい。また図５（ｂ）に例示するように、１台の機器のサイズが縦横２:１の矩形状の場合、縦置きの機器と横置きの機器を並べることも可能である。この場合には、隣接を検出するための隣接検出部１２６を構成する磁気センサ１２８、１３０、１３２、１３４の位置や、近圏通信部１３６を構成する赤外線通信部１３８、１４０、１４２、１４４の位置を適宜設定するとよい。なお、図５の例に限らず、複数の携帯電子機器を様々に配置してよい。
【００５１】
図６は、携帯電子機器１００の他の例（携帯電子機器２００）を示す図である。図６に示すように、一体的にアプリケーションの動作画面を表示する機器を、当該携帯電子機器２００と他の携帯電子機器２００Ａ（携帯電子機器２００と実質的に同一の構成とする）との２台に限る場合、赤外線通信部１３８、１４０、１４２、１４４の換わりに、近圏通信部１３６としてＢｌｕｅｔｏｏｔｈ（登録商標）等を利用することができる。すなわち赤外線通信部１３８、１４０、１４２、１４４が不要となる。これは、指向性を有する赤外線通信によって上記のようにネゴシエーションして複数の機器の配置を特定せずとも、磁気センサ１２８、１３０、１３２、１３４が反応する方向に相手が存在することを特定できるためである。なお、他の例の携帯電子機器２００は、赤外線通信部１３８、１４０、１４２、１４４以外は上記携帯電子機器１００と実質的に同一の構成とする。
【００５２】
位置測定部１２４が複数の携帯電子機器の配置を区別可能な精度で当該携帯電子機器１００の絶対位置を特定できる場合にも、同様に、赤外線通信部１３８、１４０、１４２、１４４に換えて近圏通信部１３６としてＢｌｕｅｔｏｏｔｈ（登録商標）等を利用することができる。上記のようなネゴシエーションをせずとも、位置測定部１２４により自身の絶対位置を特定できるため、互いにその絶対位置を交換することでそれぞれの配置位置を特定できるためである。なお、ユーザからの入力操作により、複数の携帯電子機器の配置位置を特定する構成とする場合も、同様である。
【００５３】
上述した本実施形態の構成をプログラムとしてもよい。すなわち、複数の機器の表示部に一体的にアプリケーションの動作画面を表示させるために、コンピュータに、他の機器が隣接したことを検出する隣接検出機能、隣接した機器と通信可能な近圏通信機能、当該機器がマスターの場合には近圏通信機能を通じて当該機器のアプリケーションの動作画面をスレーブとなる他の機器に転送し、当該機器がスレーブの場合には近圏通信機能を通じてマスターとなる機器からアプリケーションの動作画面を取得する制御機能、当該機器の表示部に前記アプリケーションの動作画面の一部を表示させる表示機能を実現させるためのプログラムとしてもよい。
【００５４】
基本的な構成要件を備える携帯電子機器に対し、かかるプログラムをダウンロード形式等で配信することで、上述した一体的な表示機能の普及を図ることができる。本実施形態では、一体的な表示を行う各機器を機械的に接続するのではなく無線で接続するため、適用対象が広く、他機種同士であってもアプリケーションの動作画面の一体的な表示を実行することができる。
【００５５】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５６】
本発明は、スマートフォン等の携帯電子機器およびプログラムに利用可能である。
【符号の説明】
【００５７】
１００、１００Ａ、１００Ｂ、１００Ｃ…携帯電子機器、１０２…制御部、１０４…記憶部、１０６…タッチパネルディスプレイ、１０８…基地局、１１０…無線通信部、１１２…放送局、１１４…放送受信部、１１６…音声入力部、１１８…音声出力部、１２０…カメラモジュール、１２２…加速度センサ、１２４…位置測定部、１２６…隣接検出部、１２８、１３０、１３２、１３４…磁気センサ、１３６…近圏通信部、１３８、１４０、１４２、１４４…赤外線通信部、１４６…バッテリ、１４８、１５０、１５２、１５４…磁石、１５６…アイコン、２００、２００Ａ…携帯電子機器
【図１】
2014090282.tif 000003
【図２】
2014090282.tif 000004
【図３】
2014090282.tif 000005
【図４】
2014090282.tif 000006
【図５】
2014090282.tif 000007
【図６】
2014090282.tif 000008